(57)【要約】      （修正有）【課題】マスクとしての機能を維持しつつ、食事中にはその邪魔となることのない食事用可動式マスクを提供する。【解決手段】食事用可動式マスク１は、口周辺部被覆部材１０と、左右一対の耳引掛部材２０と、を備え、更に口周辺部被覆部材を耳引掛部材に対して孔部と軸部を介して回動自在に軸支する軸支手段を具備し、装着状態では、口周辺部被覆部材が垂下して装着者の口周辺部を被覆する下向き被覆状態となったり、口周辺部被覆部材が被覆状態における位置から前方に向かって持ち上げられて装着者の口周辺部を被覆しない前向き非被覆状態となったりする。【選択図】図１
0003231445.tif 000002
【実用新案登録請求の範囲】
【請求項１】
所定の装着状態で、装着者の耳に引っ掛けられる左右一対の耳引掛部材と、
前記装着状態で、装着者の口周辺部を被覆することが可能な口周辺部被覆部材と、
を備え、
更に前記口周辺部被覆部材を前記耳引掛部材に対して回動自在に軸支する軸支手段を具備し、
前記装着状態で、前記口周辺部被覆部材が垂下して装着者の口周辺部を被覆する下向き被覆状態と、前記口周辺部被覆部材が前記被覆状態における位置から前方に向かって持ち上げられて装着者の口周辺部を被覆しない前向き非被覆状態と、に状態変換自在とされてなる
ことを特徴とする食事用可動式マスク。
【請求項２】
前記軸支手段は、
前記口周辺部被覆部材及び前記耳引掛部材のうちいずれか一方に設けられた孔部と、
前記口周辺部被覆部材及び前記耳引掛部材のうちいずれか他方に設けられた軸部と、
を備え、前記孔部に前記軸部が挿通されて前記口周辺部被覆部材が前記耳引掛部材に対して回動自在に軸支されてなり、
前記孔部及び前記軸部のうち少なくとも一方が、前記装着状態において前後方向に複数列設されてなる
請求項１に記載の食事用可動式マスク。
【請求項３】
前記前向き非被覆状態において、装着者の口周辺部の前方には、前記口周辺部被覆部材の下端部が位置してなる
請求項１又は請求項２に記載の食事用可動式マスク。
【請求項４】
前記耳引掛部材及び前記口周辺部被覆部材が紙製である
請求項１乃至請求項３のいずれか１項に記載の食事用可動式マスク。
【考案の詳細な説明】
【技術分野】
【０００１】
本考案は、通常時は口周辺部を被覆し、食事等の際には口周辺部の被覆を部分的に解除することが可能な食事用可動式マスクに関する。
【背景技術】
【０００２】
従来、口周辺部を被覆するマスクとして、例えば特許文献１に開示されているような、遮断板部を備えた衛生マスクが知られている。
【先行技術文献】
【特許文献】
【０００３】
【特許文献１】実用新案登録第３２１６０７７号公報
【考案の概要】
【考案が解決しようとする課題】
【０００４】
しかしながら、特許文献１に記載されているような従来のマスクにあっては、例えば食事において口に何かを入れる際にマスクを取り外さねばならず、非常に不便であった。
【０００５】
本考案は、マスクとしての機能を維持しつつ、食事中にはその邪魔となることのない食事用可動式マスクを提供することを目的とする。
【課題を解決するための手段】
【０００６】
本考案は、所定の装着状態で、装着者の耳に引っ掛けられる左右一対の耳引掛部材と、前記装着状態で、装着者の口周辺部を被覆することが可能な口周辺部被覆部材と、を備え、更に前記口周辺部被覆部材を前記耳引掛部材に対して回動自在に軸支する軸支手段を具備し、前記装着状態で、前記口周辺部被覆部材が垂下して装着者の口周辺部を被覆する下向き被覆状態と、前記口周辺部被覆部材が前記被覆状態における位置から前方に向かって持ち上げられて装着者の口周辺部を被覆しない前向き非被覆状態と、に状態変換自在とされてなることを特徴とする食事用可動式マスクである。
【０００７】
かかる構成にあっては、通常時は前記下向き被覆状態となって装着者の口周辺部を被覆し、食事中には前記口周辺部被覆部材が前方に向かって持ち上げられて前向き非被覆状態となって口周辺部を被覆せず、食事の邪魔とならない。これによって食事用可動式マスクそのものを取り外すことなく口にものを入れることができる。
【０００８】
また、前記軸支手段は、前記口周辺部被覆部材及び前記耳引掛部材のうちいずれか一方に設けられた孔部と、前記口周辺部被覆部材及び前記耳引掛部材のうちいずれか他方に設けられた軸部と、を備え、前記孔部に前記軸部が挿通されて前記口周辺部被覆部材が前記耳引掛部材に対して回動自在に軸支されてなり、前記孔部及び前記軸部のうち少なくとも一方が、前記装着状態において前後方向に複数列設されてなる構成が提案される。
【０００９】
かかる構成とすることにより、簡素な構成で前記軸支手段を構築することができると共に、前記耳引掛部材に対する前記口周辺部被覆部材の軸支位置を前後方向に沿って変更可能とすることで装着者の頭部の大きさに合わせてサイズ調整が可能となる。
【００１０】
さらに、前記前向き非被覆状態において、装着者の口周辺部の前方には、前記口周辺部被覆部材の下端部が位置してなる構成が提案される。
【００１１】
かかる構成とすることにより、前記前向き非被覆状態であっても、装着者の口周辺部の前方を前記口周辺部被覆部材が遮ることとなり、口にものを運ぶ行為を妨げることなく飛沫が前方へ飛散してしまうことをある程度防止することができる。
【００１２】
また、前記耳引掛部材及び前記口周辺部被覆部材が紙製である構成が提案される。
【００１３】
かかる構成とすることにより、当該食事用可動式マスクは使い捨て可能となり、衛生面で優れ、食事により汚れた場合にも容易に破棄することができ、しかも製造コストが低廉である。
【考案の効果】
【００１４】
本考案にかかる食事用可動式マスクは、マスクとしての機能を維持しつつ、食事中にはその邪魔となることがないという効果がある。
【図面の簡単な説明】
【００１５】
【図１】実施例にかかる食事用可動式マスクの装着状態を示す説明図である。
【図２】実施例にかかる食事用可動式マスクを下向き被覆状態で装着した状態を示す説明図である。
【図３】実施例にかかる食事用可動式マスクを前向き非被覆状態で装着した状態を示す説明図である。
【図４】実施例にかかる食事用可動式マスクのブランクを示す平面図である。
【考案を実施するための形態】
【００１６】
以下に本考案を具体化した実施例を詳細に説明する。なお、本考案は、下記に示す実施例に限定されることはなく、適宜、設計変更が可能である。
【００１７】
図１等に示すように、食事用可動式マスク１は、略中央部に凹部が設けられた口周辺部被覆部材１０と、左右一対の耳引掛部材２０とを備えている。口周辺部被覆部材１０及び耳引掛部材２０は、図４に示すように、紙材やプラスチックシート材等のシート材を所定形状に切り取って形成されている。
【００１８】
口周辺部被覆部材１０の左右両端部には、３つの孔部１１，１２，１３が各々一列状に形成されている。また、口周辺部被覆部材１０の中央上部には、Ｖ字形状の切り込み部１５が形成されている。なお、使用時にあっては、切り込み部１５を閉じるように当該切り込み部１５の左右の端部を接合することで口周辺部被覆部材１０の略中央部に凹部が形成される。
【００１９】
耳引掛部材２０は湾曲した線状をなしており、一端側には軸部としての舌片部２１を形成するための切り込みが設けられている。これに対し、耳引掛部材２０の他端側は装着者の耳に引っ掛けられる目的で湾曲形状をなしている。
【００２０】
かかる構成にあって、口周辺部被覆部材１０の孔部１１，１２，１３のうちいずれかに耳引掛部材２０の舌片部２１が挿通されることで、口周辺部被覆部材１０が耳引掛部材２０に対して回動自在に軸支される。なお、これら孔部１１，１２，１３及び舌片部２１によって、本考案における軸支手段が構成されている。
【００２１】
食事用可動式マスク１は、図１、図２に示すように、装着者の耳に耳引掛部材２０が引っ掛けられることによって装着状態とされる。このとき、口周辺部被覆部材１０が垂下して装着者の口周辺を被覆する下向き被覆状態αとすることができる。
【００２２】
また、かかる下向き被覆状態αの口周辺部被覆部材１０を、装着者自身が前方に向かって回動させて当該口周辺部被覆部材１０を持ち上げると、図３に示すように、装着者の口周辺部の被覆が解除される前向き被覆状態βとすることができる。この状態では、装着者の口周辺部に空隙Ｓが形成されるため、この空隙Ｓを介して口にものを運ぶことが可能となる。そして、口にものを運んだ後は、当該口周辺部被覆部材１０の自重によって垂下させたり、装着者の手によって口周辺部被覆部材１０を回動させたりすることによって口周辺部被覆部材１０を再度下向き被覆状態αとすることができる。
【００２３】
なお、上述の食事用可動式マスク１にあっては、孔部１１，１２，１３が装着状態で前後方向に沿って並んでいるため、装着者の顔の大きさに合わせてサイズ調整することが可能である。
【００２４】
ところで、前向き非被覆状態αにおいて、装着者の口周辺部の前方には、口周辺部被覆部材１０の下端部が位置している構成とすることにより、前向き非被覆状態αにおいても飛沫の飛散防止効果をある程度確保することができる。
【００２５】
上記実施例において、各部の寸法形状は適宜自由に選択可能である。
【００２６】
また、上記構成に代えて、例えば口周辺部被覆部材１０に軸部が形成され、耳引掛部材２０に孔部が形成されていても構わない。
【００２７】
また、軸支手段は、上記実施例に記載された孔部と軸部以外の構成によって構築されていても構わない。
【００２８】
なお、食事用可動式マスク１を構成する全ての部品が紙製であると、使い捨て可能となり、衛生面で優れ、食事により汚れた場合にも容易に破棄することができ、しかも製造コストが低廉であるという利点がある。
【符号の説明】
【００２９】
１                食事用可動式マスク
１０              口周辺部被覆部材
１１，１２，１３  孔部
１５              切り込み部
２０              耳引掛部材
２１              舌片部（軸部）
Ｓ                空隙
α                下向き被覆状態
β                前向き非被覆状態
【図１】
0003231445.tif 000003
【図２】
0003231445.tif 000004
【図３】
0003231445.tif 000005
【図４】
0003231445.tif 000006